(57)【特許請求の範囲】
【請求項１】
壁がＨ型パネル体及びパネル体により形成された家屋であって、壁が交叉する家屋の角部位置には、左右の外部材の内面にして該外部材の正面から所定の距離だけ奥まった位置に凹溝が上下方向に延設され、この左右の外部材間に左右端部が夫々前記凹溝に嵌入された平板部材が設けられて成るＨ型パネル体が配設され、一方、前記角部から所定の距離を置いた位置には、左右の外部材の内面にして該外部材の正面から所定の距離だけ奥まった位置に凹溝が上下方向に延設され、この左右の外部材間に左右端部が夫々前記凹溝に嵌入された上下長の短い平板部材が上下方向に所定の間隙を介して複数枚並設されて成るパネル体が配設されていることを特徴とする家屋。
【請求項２】
柱間が複数のパネル体により閉塞されて壁が形成された家屋であって、柱に隣接するパネル体として、左右の外部材の内面にして該外部材の正面から所定の距離だけ奥まった位置に凹溝が上下方向に延設され、この左右の外部材間に左右端部が夫々前記凹溝に嵌入された平板部材が設けられ成るＨ型パネル体が採用され、また、前記柱から所定の距離を置いた位置のパネル体として、左右の外部材の内面にして該外部材の正面から所定の距離だけ奥まった位置に凹溝が上下方向に延設され、この左右の外部材間に左右端部が夫々前記凹溝に嵌入された上下長の短い平板部材が上下方向に所定の空隙を介し複数枚並設されて成るパネル体が採用されていることを特徴とする家屋。
【請求項３】
請求項１，２いずれか１項に記載の家屋において、前記パネル体は、前記空隙の上下巾が前記上下長の短い平板部材の上下巾の２乃至５倍に設定されていることを特徴とする家屋。
【請求項４】
請求項１〜３いずれか１項に記載の家屋において、最上部の前記上下長の短い平板部材の上縁は前記外部材の上端から上方に突出し、最下部の前記上下長の短い平板部材の下縁は前記外部材の下端から下方に突出しているものであることを特徴とする家屋。
【請求項５】
請求項１〜４いずれか１項に記載の家屋において、前記平板部材及び前記上下長の短い平板部材の夫々は前記外部材と接着剤により接合されていることを特徴とする家屋。
【発明の詳細な説明】
【０００１】
【発明の属する技術分野】
本発明は、パネル体により構築された家屋に関するものである。
【０００２】
【従来の技術及び発明が解決しようとする課題】
従来から、柱，土台，梁等の骨材に囲繞された空間部をパネル体により閉塞した木造家屋が種々提案されている。
【０００３】
ところで、上記方法に使用される一般的なパネル体（以下、従来のパネル体という。）の構造は、上下左右に囲繞状態に枠部材を設け、この枠部材の一面に平板部材を付設した構造である。しかし、この構造の場合、上下方向の強度，表裏方向の強度及び左右方向の強度が枠部材の強度及び枠部材同志の連結強度により略決定されてしまい、強度が低いという欠点がある。
【０００４】
一方、この欠点を解決するパネル体として、出願人の先願に係る特開平１１−１９００９９号のパネル体（以下、Ｈ型パネル体という。）が提案されている。
【０００５】
このＨ型パネル体は、左右の外部材の内面にして該外部材の表面及び裏面から所定の距離だけ奥まった位置には凹溝が上下方向に延設され、この左右の外部材間には平板部材が設けられ、該平板部材の左右端部が夫々前記凹溝に嵌入された構造で、上下方向の強度及び表裏方向の強度が主に外部材により発揮され、左右方向の強度が主に平板部材により発揮され、上記従来のパネル体に比し３乃至５倍の強度が発揮されることが実験により確認されている。
【０００６】
しかし、このＨ型パネル体にも次の問題点がある。
【０００７】
即ち、Ｈ型パネル体では、左右の外部材の上下長と略同一上下長の平板部材が使用されているが、長い平板部材は高価である為、Ｈ型パネル体自体がコスト高になり、家屋もコスト高になってしまう。
【０００８】
本発明は、上記問題点を解決するもので、安価且つ十分な強度を有する家屋を提供するものである。
【０００９】
【課題を解決するための手段】
添付図面を参照して本発明の要旨を説明する。
【００１０】
壁９がＨ型パネル体５及びパネル体７により形成された家屋８であって、壁９が交叉する家屋８の角部位置には、左右の外部材１の内面１ａにして該外部材１の正面から所定の距離だけ奥まった位置に凹溝２が上下方向に延設され、この左右の外部材１間に左右端部が夫々前記凹溝２に嵌入された平板部材６が設けられて成るＨ型パネル体５が配設され、一方、前記角部から所定の距離を置いた位置には、左右の外部材11の内面11aにして該外部材11の正面から所定の距離だけ奥まった位置に凹溝12が上下方向に延設され、この左右の外部材11間に左右端部が夫々前記凹溝12に嵌入された上下長の短い平板部材13が上下方向に所定の間隙14を介して複数枚並設されて成るパネル体７が配設されていることを特徴とする家屋に係るものである。
【００１１】
また、柱10間が複数のパネル体により閉塞されて壁９が形成された家屋８であって、柱10に隣接するパネル体として、左右の外部材１の内面１ａにして該外部材１の正面から所定の距離だけ奥まった位置に凹溝２が上下方向に延設され、この左右の外部材１間に左右端部が夫々前記凹溝２に嵌入された平板部材６が設けられ成るＨ型パネル体５が採用され、また、前記柱10から所定の距離を置いた位置のパネル体として、左右の外部材11の内面11aにして該外部材11の正面から所定の距離だけ奥まった位置に凹溝12が上下方向に延設され、この左右の外部材11間に左右端部が夫々前記凹溝12に嵌入された上下長の短い平板部材13が上下方向に所定の空隙14を介し複数枚並設されて成るパネル体７が採用されていることを特徴とする家屋に係るものである。
【００１２】
また、請求項１，２いずれか1項に記載の家屋において、前記パネル体７は、前記空隙14の上下巾が前記上下長の短い平板部材13の上下巾の２乃至５倍に設定されていることを特徴とする家屋に係るものである。
【００１３】
また、請求項１〜３いずれか1項に記載の家屋において、最上部の前記上下長の短い平板部材13の上縁は前記外部材11の上端から上方に突出し、最下部の前記上下長の短い平板部材13の下縁は前記外部材11の下端から下方に突出しているものであることを特徴とする家屋に係るものである。
【００１４】
また、請求項１〜４いずれか１項に記載の家屋において、前記平板部材６及び前記上下長の短い平板部材13の夫々は前記外部材１・11と接着剤により接合されていることを特徴とする家屋に係るものである。
【００１５】
【発明の作用及び効果】
従来の技術でも述べたように、左右の外部材１の内面１ａにして該外部材１の正面から所定の距離だけ奥まった位置には凹溝２が上下方向に延設され、この左右の外部材１間には平板部材６が設けられ、該平板部材６の左右端部が夫々前記凹溝２に嵌入されたＨ型パネル体５は、繰り返した実験の結果、上下方向の強度，表裏方向の強度及び左右方向の強度が従来のパネル体の３乃至５倍もあることが確認されている。また、このＨ型パネル体５は、上下方向の強度及び表裏方向の強度が主に外部材１により発揮され、左右方向の強度が平板部材６により発揮されることが確認されている。
【００１６】
ところで、このＨ型パネル体５の強度が、例えば従来のパネル体の３倍であるとすると（この強度は、使用する外部材１の素材や寸法、平板部材６の素材や寸法等により決定されている。）、外部材１の上下長と略同一長の平板部材６を使用する代わりに、上下長の短い平板部材13を使用し且つ該上下長の短い平板部材13を所定の空隙14を介して並設する構成を採用し、且つ、この上下長の短い平板部材13の上下長と空隙14の上下長を１：２に設定した場合、上下長の短い平板部材13が占める割合が前記Ｈ型パネル体５の１／３となる為、この上下長の短いパネル体13の左右方向の強度は前記従来のパネル体と同等となる。
【００１７】
従って、この外部材１の上下長と略同一長の平板部材６を使用する代わりに、上下長の短い平板部材13を使用し且つ該上下長の短い平板部材13を所定の空隙14を介して並設する構成を採用し、且つ、この上下長の短い平板部材13の上下長と空隙14の上下長を１：２に設定したパネル体７（以下、本件パネル体７という。）は、左右方向の強度において従来のパネル体と同等であり、且つ、上下長の短い平板部材13は非常に安価で入手できるから、コストの面ではＨ型パネル体５より安価なものとなる。また、この本件パネル体７の上下方向の強度及び表裏方向の強度はＨ型パネル体５と同等となる。
【００１８】
従って、家屋８の角部位置や柱10の近傍等の高い強度が要求される部位にはＨ型パネル体５を用い、その他の位置には上下長の短い平板部材13を所定の空隙14を介して並設した前記本件パネル体７を用いて家屋８を構築すれば、強度が高く、且つ、安価な家屋８が得られることになる。
【００１９】
更に、上下長の短い平板部材13間に設けられる空隙14により、本件パネル体７は良好な通気性を発揮し、家屋８の湿気の問題（シロアリ問題等）が解決されることになる。
【００２０】
本発明は上述のように構成したから、安価且つ十分な強度を有する家屋が得られることになる。
【００２１】
【発明の実施の形態】
図面は本発明の一実施例を図示したものであり、以下に説明する。
【００２２】
本実施例は、左右の外部材１の内面１ａにして該外部材１の正面から所定の距離だけ奥まった位置には凹溝２が上下方向に延設され、この左右の外部材１間には上下長が前記外部材１の上下長と略同一の平板部材６が設けられ、この平板部材６の左右端部は夫々前記凹溝２に嵌入されたＨ型パネル体５と、左右の外部材11の内面11ａにして該外部材11の正面から所定の距離だけ奥まった位置には凹溝12が上下方向に延設され、この左右の外部材11間にして該外部材11の上下方向には所定の空隙14を介して上下長の短い平板部材13が設けられ、この上下長の短い平板部材13の左右端部が夫々前記凹溝12に嵌入された本件パネル体７とにより壁９が形成された家屋８に係るものである。
【００２３】
先ず、Ｈ型パネル体５について詳述する。
【００２４】
左右の外部材１として一対の断面視四角形の木製の角材が採用され、この角材の内面１ａには前記凹溝２が形成されている。
【００２５】
図示したＨ型パネル体５は、この凹溝２が角材の巾方向中央位置（表面及び裏面から同一距離を置いた位置）に設けられた強度の高い構成を採用しているが、例えば、平板部材６の表面側に厚い断熱材を付設する場合には該凹溝２の位置を角材の巾方向中央位置よりも裏面側に設定する等、この凹溝２の位置は家屋の設置条件に合わせて表面及び裏面から任意の距離を置いた位置に適宜設定して良い。
【００２６】
平板部材６は木製の合板部材が採用されている。
【００２７】
また、この平板部材６の上下長は、外部材１の上下長よりも若干長く設定されており、外部材１の上端及び下端から突出するように構成されている。尚、この突出部は、土台や梁等のＨ型パネル体５の上下に位置する骨材に設けられた凹溝に嵌入されて該骨材とＨ型パネル体５との接合強度を高める為に設けられているものである。
【００２８】
前記左右の外部材１に設けられた凹溝２には、この平板部材６の左右端部が夫々嵌入固定されており、全体が平断面視Ｈ型に構成されている。
【００２９】
この外部材１と平板部材６との固定には接着剤による固定方法が採用されている。
【００３０】
この点、例えば、外部材１と平板部材６とを釘等の連結金具により固定する方法も考えられるが、この場合、Ｈ型パネル体５の強度（主に左右方向の強度）が大きく低下することが実験（破壊試験）により確認されている。この原因は、連結金具による固定手段であると、連結金具同志の間は全く固定されないことになり、結果的に固定強度にムラが発生するからではないかと考えられる。従って、本実施例では固定強度にムラが発生しない接着剤による固定方法を採用している。
【００３１】
また、このＨ型パネル体５の上下長（高さ）は、家屋８の一階部分の高さ（約３ｍ）と略同等に設定されている。
【００３２】
次に、本件パネル体７について詳述する。
【００３３】
外部材11の構成は前記Ｈ型パネル体５の外部材１と同様である。
【００３４】
この外部材11の凹溝12には、木製の上下長の短い平板部材13の左右端部が夫々嵌入固定されている。
【００３５】
この外部材11と上下長の短い平板部材13との固定には、前記Ｈ型パネル体５と同様の理由から、接着剤による固定方法が採用されている。
【００３６】
尚、この上下長の短い平板部材13には、主に左右方向の荷重が作用し、上下方向の荷重は殆ど作用しない為、接着剤のみによる固定方法であっても、該上下長の短い平板部材13が外部材11の凹溝12に沿って下方にずり動したりすることはない。
【００３７】
また、最上部に配設された上下長の短い平板部材13の上縁は外部材11の上端から突出され、最下部に配設された上下長の短い平板部材13の下縁は外部材11の下端から突出され、夫々、前記Ｈ型パネル体５における突出部と同様の作用効果（骨材とパネル体との接合強度を高める効果）を発揮するように構成されている。
【００３８】
空隙14の上下長は任意に設定されるものであるが、前記Ｈ型パネル体５の強度は従来のパネル体の３乃至５倍もある為、例えば、Ｈ型パネル体５が従来のパネル体の５倍の強度を有していた場合は、本件パネル体７における空隙14の上下長を上下長の短い平板部材13の５倍に設定しても、その強度（主に左右方向の強度）は従来のパネル体と同等になる。
【００３９】
尚、このＨ型パネル体５の強度は、使用する外部材１の寸法や平板部材６の寸法によりバラツキがある（２×１２のパネル体に使用される枠部材を外部材１として使用した場合、従来のパネル体に比し最高で６．９倍の強度を有するという実験結果も得られている。）。従って、上下長の短い平板部材13の上下長や空隙14の上下長は使用する外部材１の寸法や平板部材13の寸法を考慮し、従来のパネル体より強度が低下しない上下長に設定すると良い。
【００４０】
次に、このＨ型パネル体５及び本件パネル体７を用いた家屋８の構築方法について詳述する。
【００４１】
先ず、土台上に柱10を立設する。
【００４２】
続いて、この柱10間に前記Ｈ型パネル体５及び本件パネル体７の所定数を立設状態で配設し、該Ｈ型パネル体５及び本件パネル体７により柱10間を閉塞して家屋８の壁９を形成する。
【００４３】
このＨ型パネル体５及び本件パネル体７の配設位置は、柱10に隣接する位置にはＨ型パネル体５が配設されるように、また、柱10から所定の距離を置いた位置、例えば、柱10間の中間位置には本件パネル体７が配設されるようにする。
【００４４】
また、上記Ｈ型パネル体５と本件パネル体７との間に配設されるパネル体は、家屋８の強度上の問題やコスト等の観点から、適宜選択する。例えば、家屋８の角部近傍であれば、該角部には高い強度が要求される為、通常のＨ型パネル体５を選択すれば良いし、また、柱10間が狭い場合や柱10として太い丈夫な柱10を採用した場合は、柱10が高い強度を発揮するから、コストや通気性を重視して本件パネル体７を選択すると良い。
【００４５】
また、Ｈ型パネル体５や本件パネル体７は、予め隣接するパネル体同志を接合してから土台上に立設しても良いし、土台上に立設してから隣接するパネル体同志を接合しても良い。
【００４６】
以上により、柱10間をＨ型パネル体５及び本件パネル体７により閉塞した後は、該Ｈ型パネル体５及び本件パネル体７の上部に梁や鴨居等の骨材を配設すると共に、該Ｈ型パネル体５及び本件パネル体７の外面に外壁材を設け、内面に内壁材を設ける。
【００４７】
以上の方法により構築された家屋の強度を実験したところ、建築基準で定められた安全強度を十分満足できることが確認された。
【００４８】
尚、本実施例では、柱10間にパネル体を配設する方法を説明したが、家屋８の壁９が交叉する角部においてパネル体同志を突き合わせることで該家屋８の角部を形成し、このパネル体間にＨ型パネル体５及び本件パネル体７を配設する方法であっても同様である。
【００４９】
本実施例は上述のようにするから、家屋８の壁９が交叉する角部近傍には強度の高いＨ型パネル体５が配設され、その他の部位には、強度はＨ型パネル体５よりも低いが実用上十分な強度を有する本件パネル体７が配設されることになり、必然的に強度が高い家屋８を低コストで構築することができる実用性，剛性，コスト安に秀れた家屋の構築方法となる。
【００５０】
また、本件パネル体７に設けられた空隙14が通気性を発揮し、湿気等の問題のない秀れた家屋８が得られることになる。
【００５１】
また、本件パネル体７の上下長の短い平板部材13はコスト安であるから、必然的に本件パネル体７はコスト安で得られることになる。
【００５２】
また、本件パネル体７の空隙14は、該本件パネル体７が従来のパネル体よりも強度が低下しないように設定されているから、実用上十分な強度を発揮することになる。
【００５３】
以上、本実施例によれば、任意の強度，コスト，通気性を有する家屋８が、任意の強度，コスト，通気性を有するパネル体を使用することにより得られることになる。
【００５４】
ところで、外部材の内面にして該外部材の正面及び裏面から所定の距離だけ奥まった位置に平板部材が設けられた所謂Ｈ型パネルは、強度の点でも非常に秀れている。以下、このＨ型パネルの強度実験の結果について説明する。
【００５５】
この強度実験は、富山県林業技術センターに依頼して行った。また、実験方法は、ＪＩＳ  Ａ  １４１４に規定のある面内せん断試験に準じて行った。また、負荷方式は日本式を採用した。
【００５６】
具体的には、土台と、二本の柱と、桁梁とによって囲繞される空間部にパネル体を嵌合止着し、土台を固定し、桁梁には水平方向への荷重を作用せしめる実験を行った。
【００５７】
実験結果を下記表１及び２に示す。
【００５８】
尚、表１は、二本の柱間１７０５mm、土台と桁間２６１０mmの空間部にＨ型パネルを左右四枚並設するか、若しくは、従来のパネル、即ち、上下左右に囲繞状態で配設された枠部材の一側に平板部材を付設し、更に、左右の枠部材の中間に補強桟を一本配設したパネルを左右に二枚並設した場合、表２は、二本の柱間３５３５mm、土台と桁間２７３０mmの空間部にＨ型パネルを左右に六枚並設し、中間の四枚のＨ型パネルの上下中間部分をくり抜いて窓枠を形成した場合である。表中、面材は平板部材を意味する。また、Ｌａｒｉｘが従来のパネルである。
【００５９】
【表１】
0004739600.tif 000002
【００６０】
【表２】
0004739600.tif 000003
【００６１】
以上のように、Ｈ型パネルは従来のパネルに比し非常に強度が秀れていることが確認された。特に壁倍率は、従来のパネルで平板部材として用いたカラマツ構造用合板により非常に強度の劣るＳＰＦ，ＯＳＢ，パーティクルボードを用いたにもかかわらず、４.１〜５.１という極めて秀れた数値となった。ＳＰＦ製の従来のパネルの壁倍率は１.２〜１.５程度であり、故に、本実験によれば、Ｈ型パネルは従来のパネルの３〜５倍という極めて高い強度を有していることが確認された。
【図面の簡単な説明】
【図１】  本実施例の説明斜視図である。
【図２】  本実施例の説明平面図である。
【図３】  本実施例のパネル体７の説明拡大平断面図である。
【符号の説明】
１  外部材
１ａ  内面
２  凹溝
３  平板部材
５  Ｈ型パネル体
６  平板部材
７  パネル体
８  家屋
９  壁
10  柱
11  外部材
11ａ  内面
12  凹溝
13  上下長の短い平板部材
14  空隙
【図１】
0004739600.tif 000004
【図２】
0004739600.tif 000005
【図３】
0004739600.tif 000006